(57)【要約】【課題】  自動車内などの狭い空間や起伏面を対象とした場合の使い勝手が良く、かつ保守管理性に優れた吸水具である珪藻土吸水ローラを提供する。【解決手段】  珪藻土吸水ローラ（１）は、ユーザが把持する把持部（２）と、吸水性を有する珪藻土を円筒状に形成したローラ部（３）と、前記ローラ部を回転可能に保持するローラ保持部（４）とを備える。【選択図】図１
2019154527.tif 000002
【特許請求の範囲】
【請求項１】
ユーザによって把持される把持部と、
吸水性を有する珪藻土を円筒状に形成したローラ部と、
前記ローラ部を回転可能に保持するローラ保持部と、
を備えていることを特徴とする珪藻土吸水ローラ。
【請求項２】
請求項１に記載の珪藻土吸水ローラにおいて、
前記ローラ部は、リング状に形成された珪藻土リングを複数並列配置したことを特徴とする珪藻土吸水ローラ。
【請求項３】
請求項２に記載の珪藻土吸水ローラにおいて、
前記ローラ保持部は、両端に前記珪藻土リングを保持する鍔部を備えると共に、複数の前記珪藻土リングを互いに密接する方向に押圧する押圧手段を備えていることを特徴とする珪藻土吸水ローラ。
【請求項４】
請求項１から３のいずれか１項に記載の珪藻土吸水ローラにおいて、
前記ローラ部の表面に吸水を促進するための溝部を設けたことを特徴とする珪藻土吸水ローラ。
【請求項５】
請求項１から４の何れか１項に記載の珪藻土吸水ローラにおいて、
前記ローラ部には外表面から内表面を貫通する孔部が穿設されていることを特徴とする珪藻土吸水ローラ。
【請求項６】
請求項１から５のいずれか１項に記載の珪藻土吸水ローラにおいて、
前記ローラ部によって吸水された水を吸引する吸引手段をさらに備えていることを特徴とする珪藻土吸水ローラ。
【請求項７】
請求項１から６のいずれか１項に記載の珪藻土吸水ローラにおいて、
前記ローラ部を乾燥するためのエアを供給するエア供給手段をさらに備えていることを特徴とする珪藻土吸水ローラ。
【発明の詳細な説明】
【技術分野】
【０００１】
本発明は、珪藻土を利用した珪藻土吸水ローラに関する。
【背景技術】
【０００２】
自動車内の座席のシミなどの汚れは、自動車のユーザが水拭きで対処するのが一般的である。しかし、飲みこぼし、汗、乳児の排泄物や嘔吐物、化粧品等に起因するシミは除去が困難であるため、専門家に水洗浄を依頼したいと考えるユーザも多い。そのため、本発明者等は、例えば、ガソリンスタンドで自動車内の水洗浄サービスを提供できるようにすれば、ユーザが給油の際に気軽に利用できることから非常に利便性が高いのではないかという点に着目した。
【先行技術文献】
【特許文献】
【０００３】
【特許文献１】特開２００６−３２８８３２号公報
【特許文献２】特許第３７５０８６４号公報
【特許文献３】特開２００３−２２００００号公報
【特許文献４】特開２００４−１２４４８８号公報
【特許文献５】特許第３２７３６６２号公報
【特許文献６】特開２００２−１７５５２号公報
【特許文献７】特開２００２−４８３号公報
【特許文献８】登実３１５５８９６号公報
【特許文献９】登実３１１６０９５号公報
【発明の概要】
【発明が解決しようとする課題】
【０００４】
しかしながらガソリンスタンド構内では、気化したガソリンへの引火事故を防ぐという目的で、ドライヤー等の乾燥装置類の使用が消防法で規制されている。このため現時点では、自動車内の座席を水洗浄した場合であってもこれを乾燥させる有効な手段が存在しなかった。
【０００５】
また、自動車用座席、絨毯、マット、椅子、ソファー、ベッド、衣服類等の表面を乾燥させるために、ローラ式吸水装置（特許文献１−５等を参照）が有効とも考えられるが、これらのローラ式吸水装置を自動車内の洗浄サービスへ適用する場合には吸水性能又は保守管理性の面で改善の余地がある。
【０００６】
その一方で、脱衣所の足拭き用バスマットやグラスについた水滴を吸水するコースターとして、種々の吸水マットが販売されているものの（引用文献６−９等を参照）、例えばバスマット寸法の吸水マットで自動車の座席の乾燥を図る場合には押付け作業を要するので作業性確保が困難であるばかりか、背もたれ等の湾曲部などに押付けても接触面を確保できず、その吸水性能を十分に発揮できない可能性がある。また、コースター寸法の吸水マットで自動車の座席の乾燥を図ることは可能かもしれないが、持ち難さの点で作業性に支障を来たす。
【０００７】
そこで、本発明は、かかる問題点に鑑みなされたもので、自動車内などの狭い空間や起伏面を対象とした場合の使い勝手が良く、かつ保守管理性に優れた吸水具である珪藻土吸水ローラを提供することを目的とする。また、ガソリンスタンドのようにドライヤー等の乾燥装置類の使用が制限される場所での乾燥作業に好適な吸水具である珪藻土吸水ローラを提供することを目的とする。
【課題を解決するための手段】
【０００８】
上記課題を解決するために請求項１に記載の本発明に係る珪藻土吸水ローラは、ユーザによって把持される把持部と、吸水性を有する珪藻土を円筒状に形成したローラ部と、前記ローラ部を回転可能に保持するローラ保持部とを備える。
【０００９】
上記課題を解決するために請求項２に記載の本発明は、請求項１に記載の珪藻土吸水ローラにおいて、前記ローラ部は、リング状に形成された珪藻土リングを複数並列配置したことを特徴とする。
【００１０】
上記課題を解決するために請求項３に記載の本発明は、請求項２に記載の珪藻土吸水ローラにおいて、前記ローラ保持部は、両端に前記珪藻土リングを保持する鍔部を備えると共に、複数の前記珪藻土リングを互いに密接する方向に押圧する押圧手段を備えていることを特徴とする。
【００１１】
上記課題を解決するために請求項４に記載の本発明は、請求項１から３のいずれか１項に記載の珪藻土吸水ローラにおいて、前記ローラ部の表面に吸水を促進するための溝部を設けたことを特徴とする。
【００１２】
上記課題を解決するために請求項５に記載の本発明は、請求項１から４の何れか１項に記載の珪藻土吸水ローラにおいて、前記ローラ部には外表面から内表面を貫通する孔部が穿設されていることを特徴とする。
【００１３】
上記課題を解決するために請求項６に記載の本発明は、請求項１から５のいずれか１項に記載の珪藻土吸水ローラにおいて、前記ローラ部によって吸水された水を吸引する吸引手段をさらに備えていることを特徴とする。
【００１４】
上記課題を解決するために請求項７に記載の本発明は、請求項１から６のいずれか１項に記載の珪藻土吸水ローラにおいて、前記ローラ部を乾燥するためのエアを供給するエア供給手段をさらに備えていることを特徴とする。
【発明の効果】
【００１５】
本発明に係る珪藻土吸水ローラは、ユーザによって把持される把持部と回転可能なローラ部とを有しているので、自動車内などの狭い空間や起伏面をローラ部で走査することが容易である。そして、ローラ部へ円筒状に形成された珪藻土は、吸水性能に優れた多数の微細孔を有するので、ローラ部によって走査される面（以下、単に「対象面」という。）の水分を吸水し、当該対象面が乾燥するまでの時間を短縮することができる。しかも、当該多数の微細孔は放湿性能（速乾性）にも優れ、ローラ部が吸水した水分が空気中へ蒸発するまでの時間も短いので、ローラ部におけるカビやダニの発生を防ぐことができる。更には、このような珪藻土吸水ローラは電動化せずとも吸放湿性能を発揮し得る。従って、ガソリンスタンドのようにドライヤー等の乾燥装置類の使用が制限される場所であっても乾燥作業に使用することができ、しかも自動車内などの狭い空間や起伏面を対象とした場合の使い勝手が良く、かつ保守管理性に優れるという効果がある。
【００１６】
本発明に係る珪藻土吸水ローラは、リング状に形成された珪藻土リングをローラ部に複数並列配置することで、互いに隣接する珪藻土リングの隙間に毛細管現象を生じさせ、ローラ部の表面のみならず当該隙間から吸水を図ることも可能である。しかも、複数の珪藻土リングの一部が劣化（破損）した場合には、その一部の珪藻土リングを交換するだけでローラ全体の機能回復を図ることも可能である。従って、吸水性能及び保守管理性が更に高まるという効果がある。
【００１７】
本発明に係る珪藻土吸水ローラにおいては、前記ローラ保持部の両端に前記珪藻土リングを保持する鍔部を設けると共に、複数の前記珪藻土リングを互いに密接する方向に押圧する押圧手段を設けることで、互いに隣接する珪藻土リングの隙間を積極的に狭くして、毛細管現象の発生を促進することができるという効果がある。
【００１８】
本発明に係る珪藻土吸水ローラは、ローラ部の表面に吸水を促進するための溝部を設けることでローラ部の放湿性能（速乾性）を高め、これによってローラ部の吸水性能も高めることができるという効果がある。
【００１９】
本発明に係る珪藻土吸水ローラは、ローラ部に外表面から内表面を貫通する孔部が穿設することで、孔部における毛細管現象によりローラ部の吸水性能が更に高まるという効果がある。
【００２０】
本発明に係る珪藻土吸水ローラは、ローラ部によって吸水された水を吸引する吸引手段をさらに備えることで、ローラ部の放湿性能（速乾性）を高め、これによってローラ部の吸水性能も高めることができるという効果がある。
【００２１】
本発明に係る珪藻土吸水ローラは、ローラ部を乾燥するためのエアを供給するエア供給手段をさらに備えることで、ローラ部の放湿性能（速乾性）を高め、これによってローラ部の吸水性能も高めることができるという効果がある。
【図面の簡単な説明】
【００２２】
【図１】（Ａ）は第１の実施形態に係る珪藻土吸水ローラの正面図、（Ｂ）は第１の実施形態に係る珪藻土吸水ローラの側面図である。
【図２】ローラ保持部及びローラ部の分解斜視図である。
【図３】第２の実施形態に係る珪藻土吸水ローラの正面図であり、（ａ）はローラ部の部分拡大断面図である。
【図４】第３の実施形態に係る珪藻土吸水ローラの正面図であり、（ａ）はローラ部の部分拡大断面図である。
【図５】（Ａ）は第４の実施形態に係る珪藻土吸水ローラの概略断面図、（Ｂ）はエア吸引装置の概略図である。
【図６】（Ａ）は第５の実施形態に係る珪藻土吸水ローラの正面図、（Ｂ）は第５の実施形態に係る珪藻土吸水ローラの側面図、（Ｃ）はエア供給装置の概略図である。
【発明を実施するための形態】
【００２３】
以下、本発明に係る巻き珪藻土吸水ローラについて、好ましい幾つかの実施形態に基づいて詳細に説明する。
【００２４】
１．第１の実施形態
１−１．第１の実施形態の構成
以下、第１の実施形態に係る珪藻土吸水ローラの構成について説明する。
図１（Ａ）は本実施形態に係る珪藻土吸水ローラの正面図、図１（Ｂ）は本実施形態に係る珪藻土吸水ローラの側面図、図２はローラ保持部及びローラ部の分解斜視図である。
【００２５】
図１（Ａ）、（Ｂ）に示すとおり、本実施形態に係る珪藻土吸水ローラ１は、ユーザによって把持されるグリップとしての樹脂製の把持部２と、吸水性を有する珪藻土を円筒状に形成したローラ部３と、ローラ部３を回転可能に保持するローラ保持部４とを備えている。
【００２６】
図１（Ａ）に示すとおり、把持部２の先端には逆「７」字状の金属製のアーム部５Ａが連結され、アーム部５Ａの先端には、図１（Ｂ）に示すとおり把持部２の中心線に対して直交する方向に金属製のシャフト部５Ｂが連結されている。尚、アーム部５Ａとシャフト部５Ｂとは一体の部材として構成されてもよい。また、把持部２はローラ部３の長さ方向の略中央部の延長上に位置するようにして配置されている。そして、シャフト部５Ｂの周囲にローラ保持部４が回転可能に取り付けられ、このローラ保持部４の周囲に円筒状のローラ部３が装着される。ローラ保持部４は、図２に示すとおり、一対の樹脂製の鍔付き中空管４Ｃ、４Ｄを、両者の鍔部が両端に位置するようにして嵌合させ、かつ、互いをビス４Ａで固定することによって組み立てられる。組み立て後のローラ保持部４は、いわゆる糸巻と同様の外観を呈する。ビス４Ａは、一方の鍔付き中空管４Ｄの鍔部に設けられた貫通孔４Ｂに挿通され、他方の鍔付き中空管４Ｃの管部端面に設けられたネジ孔４Ｆに螺合する。尚、図２では、ビス４Ａの数を２個としたが３個以上とすることもできる。
【００２７】
ローラ部３は、図２に示すとおり、リング状（「ドーナツ状」ということもできる。）に形成された珪藻土リング３Ａを複数並列配置することにより形成されている。複数の珪藻土リング３Ａは、ローラ保持部４の胴部に嵌合するようにして重ねられ、ローラ保持部４へ装着された状態で図１（Ａ）に示すとおり、互いに密接される。隣り合う珪藻土リング３Ａの接触面はそれぞれ平坦な面となっており、接触面が広く確保されている。珪藻土吸水ローラ１の大きさの一例を示せば、例えば、個々の珪藻土リング３Ａの厚さは、６ｍｍから１２ｍｍ程度、珪藻土リング３Ａの外径は６０ｍｍ程度、珪藻土リング３Ａの内径は３０ｍｍ程度、ローラ部３における珪藻土リング３Ａの配置数は１２から２５程度（図の例では配置数１６）、装着状態における複数の珪藻土リング３Ａの配列方向の全長は１５０ｍｍ程度である。尚、ローラ保持部４及びシャフト部５Ｂのサイズは、装着状態における複数の珪藻土リング３Ａのサイズに適合するように設計されている。
【００２８】
珪藻土吸水ローラ１の使用に先立ち、ユーザ又は製造者は、図２に示すとおり、一方の鍔付き中空管４Ｃの管部の周囲へ複数の珪藻土リング３Ａを順次に嵌合させてから、当該鍔付き中空管４Ｃの管部に他方の鍔付き中空管４Ｄを嵌合させる。そして、ユーザ又は製造者は、ビス４Ａで中空管４Ｄを締め付けることで、複数の珪藻土リング３Ａを両側からローラ保持部４の鍔部で押圧し、複数の珪藻土リング３Ａを当該ローラ保持部４へ密接状態で固定する。つまり、本実施形態におけるローラ保持部４は、両端に複数の珪藻土リング３Ａを保持する鍔部を設けるとともに、複数の珪藻土リング３Ａを互いに密接する方向に押圧する押圧手段（ビス４Ａ、貫通孔４Ｂ、ネジ孔４Ｆ）を設けている。ここで、ローラ保持部４は、シャフト部５Ｂの周囲へ回転自在に取り付けられるので、ローラ保持部４に固定された複数の珪藻土リング３Ａ（ローラ部３）は、ローラ保持部４とともにシャフト部５Ｂの周りを回転自在となる。また、回転中にローラ保持部４（及びこれに装着された複数の珪藻土リング３Ａ）がシャフト部５Ｂから外れることがないように、例えば、シャフト部５Ｂとローラ保持部４との間には不図示の滑り止め等のストッパーを介在させている。
【００２９】
尚、図１、図２に示すとおり、ローラ保持部４の両端に設けられた鍔部の外径は、珪藻土リング３Ａの外径より若干小さく設定されており、ユーザが把持部２を手で保持してローラ部３で自動車用座席などの対象面を走査する際に、当該鍔部が対象面に接触しないようになっている。
【００３０】
また、本実施形態では、押圧手段としてビス４Ａ、貫通孔４Ｂ、ネジ孔４Ｆを用いたが、これに限定されることはない。例えば、ローラ保持部４を構成する鍔付き中空管４Ｃ、４Ｄの一方の管部にネジ山を設けるとともに他方の管部にネジ溝を設け、それらのネジ山とネジ溝とを螺合させることにより、ローラ保持部４の組み立て及び複数の珪藻土リング３Ａの押圧（締め付け）を図ることも可能である。
【００３１】
また、本実施形態では、締め付け時における珪藻土リング３Ａの破損を防ぐために、鍔付き中空管４Ｄの鍔部とローラ部３との間、ローラ部３と鍔付き中空管４Ｃの鍔部との間の少なくとも一方に、例えば弾性を有するワッシャー（ウレタンゴムワッシャーなど）を介設させてもよいし、その他の緩衝部材（衝撃吸収ゲルシートなど）を介在させてもよい。また、ローラ保持部４の全部又は一部（鍔部など）に弾性部材を用いることで、同様の効果を得てもよい。
【００３２】
１−２．珪藻土の特性
本実施形態のローラ部３に用いられる珪藻土としては、細孔直径が、２５〜７５オングストロームの範囲内で、細孔容積が０．００２から０．０１０ｃｍ３／ｇの範囲内に収まるものが好適であるといわれている。そして、珪藻土が含有するコンクリート不純物を十分に抑えることにより、この状態の珪藻土を得ることが容易となる。この状態の珪藻土をローラ部３に用いれば、汚れが目詰まりして吸水性が低下するなどの劣化が生じ難いと考えられる。
【００３３】
１−３．珪藻土の吸放湿性能
また、本実施形態のローラ部３に用いられる珪藻土としては、空気中の水分を２４時間で３００〜４００ｇ／ｍ２ほど吸収することができ、吸収した水分を２４時間で放出することができるものが好適である。このような特性の珪藻土によれば、例えば、水洗浄後の自動車用座席を珪藻土吸水ローラ１のローラ部３で走査した場合に十分な吸水性が得られ、かつ十分な速度で当該ローラ部３を乾燥させることができると考えられる。
【００３４】
１−４．第１の実施形態の効果
以上説明したとおり、本実施形態に係る珪藻土吸水ローラ１は、ユーザによって把持される把持部２と回転可能なローラ部３とを有しているので、自動車内などの狭い空間や起伏面（湾曲面）である対象面を、ローラ部３で走査することが容易である。そして、ローラ部３へ円筒状に形成された珪藻土は、吸水性能に優れた多数の微細孔を有するので、対象面の水分を吸水し、当該対象面が乾燥するまでの時間を短縮することができる。しかも、当該多数の微細孔は放湿性能（速乾性）にも優れ、ローラ部３が吸水した水分が空気中へ蒸発するまでの時間も短いので、ローラ部３におけるカビやダニの発生を防ぐことができる。更には、このような珪藻土吸水ローラ１は電動化せずとも吸放湿性能を発揮し得る。従って、ガソリンスタンドのようにドライヤー等の乾燥装置類の使用が制限される場所であっても乾燥作業に使用することができ、自動車内などの狭い空間や起伏面を対象とした場合の使い勝手が良く、かつ保守管理性に優れる。
【００３５】
また、本実施形態に係る珪藻土吸水ローラ１は、リング状に形成された珪藻土リング３Ａをローラ部３に複数並列配置しているので（図２）、互いに密接させることにより隣接する珪藻土リング３Ａの隙間３Ｃに毛細管現象を生じさせ、ローラ部３の表面のみならず当該隙間３Ｃから吸水を図ることも可能である。しかも、複数の珪藻土リング３Ａの一部が劣化（落下等に起因した破損）した場合には、その一部の珪藻土リング３Ａを交換するだけでローラ３の全体の機能回復を図ること可能である。従って、本実施形態に係る珪藻土吸水ローラ１の吸水性能及び保守管理性を更に高めることができる。また、上記したごとくローラ保持部４及びその周辺の構成はシンプルであるので、珪藻土リング３Ａの交換（装着）も容易である。
【００３６】
また、本実施形態に係る珪藻土吸水ローラ１は、ローラ保持部４の両端に珪藻土リング３Ａを保持する鍔部と、複数の珪藻土リング３Ａを互いに密接する方向に押圧する押圧手段（ビス４Ａ、貫通孔４Ｂ、ネジ孔４Ｆ）とが設けられているので（図２）、互いに隣接する珪藻土リング３Ａの隙間３Ｃを積極的に狭くして、毛細管現象の発生を促進することができる。よって、吸水効率の向上を図ることが可能である。
【００３７】
２．第２の実施形態
以下、第２の実施形態に係る珪藻土吸水ローラについて説明する。ここでは、第１の実施形態との相違点を主に説明し、共通する部分についての説明は省略する。
【００３８】
図３は、本実施形態に係る珪藻土吸水ローラの正面図である。尚、図３において、図１、図２における要素と同様の機能を有した要素には同一の符号を付している。
【００３９】
図３に示すとおり、本実施形態に係る珪藻土吸水ローラ１は、第１実施形態に係る珪藻土吸水ローラ１において、ローラ部３の表面に吸水を促進するための溝部３Ｂを設けたものである。溝部３Ｂは、複数の珪藻土リング３Ａの各々の表面に複数形成されており、図３（ａ）の拡大断面に示すとおり、溝部３Ｂの断面形状は概略Ｖ字状となっている。また、ローラ部３の表面側から見ると、複数の溝部３Ｂの延在方向は、ローラ部３の回転軸と平行に設けられており、互いに隣接する珪藻土リング３Ａの隙間３Ｃの延在方向と交差している。よって、互いに隣接する珪藻土リング３Ａの隙間３Ｃ及び複数の溝部３Ｂの組み合わせによってローラ部３の表面には所定のグリッドパターンが現れる。このように、ローラ部３の表面に吸水を促進するための溝部３Ｂを設ければ、溝部３Ｂと隙間３Ｃとのの相乗効果でローラ部３の放湿性能（速乾性）を高め、これによってローラ部３の吸水性能も高めることができる。
【００４０】
３．第３の実施形態
以下、第３の実施形態に係る珪藻土吸水ローラの構成について説明する。ここでは、第１の実施形態との相違点を主に説明し、共通する部分についての説明は省略する。
【００４１】
図４は、本実施形態に係る珪藻土吸水ローラの正面図である。尚、図４において、図１、図２における要素と同様の機能を有した要素には同一の符号を付している。
【００４２】
図４に示すとおり、本実施形態に係る珪藻土吸水ローラ１は、第１の実施形態に係る珪藻土吸水ローラ１において、ローラ部３の全体を円筒状の珪藻土で構成する。つまり、本実施形態におけるローラ部３の概略形状は、第１実施形態における複数の珪藻土リング３Ａの全体の概略形状と同じである。また、本実施形態に係る珪藻土吸水ローラ１は、ローラ部３の表面に複数の溝部３Ｂをグリッド状に形成し、かつ、ローラ部３の外表面から内表面を貫通する孔部３ｃを、グリッドで区切られた各領域の中央へ、穿設している。よって、図４（ａ）の拡大断面に示すとおり、ローラ部３には、その中心線から外周側へ向かって延びる放射状の孔部３Ｄが複数形成されている。このように本実施形態では、複数の珪藻土リング３Ａを重ねて隙間３Ｃを設ける代わりに、ローラ部３に外表面から内表面を貫通する孔部３Ｄを穿設しているので、孔部３Ｄにおける毛細管現象によりローラ部３の吸水性能を高めることができる。尚、孔部３Ｄの径は、孔部３Ｄの深さ（３０ｍｍ程度）との関係で、水に対して毛細管現象が発生する程度の小サイズに設定されている。
【００４３】
４．第４の実施形態
以下、第４の実施形態に係る珪藻土吸水ローラの構成について説明する。ここでは、第１の実施形態との相違点を主に説明し、共通する部分についての説明は省略する。
【００４４】
図５（Ａ）は、本実施形態に係る珪藻土吸水ローラの概略断面図であり、図５（Ｂ）は本実施形態に係るエア吸引装置の概略図である。尚、図５において、図１、図２における要素と同様の機能を有した要素には同一の符号を付している。
【００４５】
本実施形態に係る珪藻土吸水ローラ１は、第１の実施形態に係る珪藻土吸水ローラ１において、ローラ部３によって吸水された水を吸引する吸引手段をさらに備えている。
【００４６】
具体的には、本実施形態に係る珪藻土吸水ローラ１は、図５（Ａ）に示すとおり、把持部２、アーム部５Ａ、シャフト部５Ｂのそれぞれを中空状に構成するとともに、シャフト部５Ｂ及びローラ保持部４の胴部に図示しない連通孔を複数設けて構成している。但し、図５（Ａ）では、連通孔については図示を省略している。このようにシャフト部５Ｂ及びローラ保持部４の胴部に複数の連通孔設けることで、ローラ部３の側からアーム部５Ａの側へと吸気を行うことが可能となる。尚、図５では、ビス４Ａ、貫通孔４Ｂ、ネジ孔４Ｆ等の微細な構造についても図示を省略している。
【００４７】
また、本実施形態におけるアーム部５Ａは、図５（Ａ）に示すとおり、中空の把持部２を介して吸気ホース７に連結され、吸気ホース７は、図５（Ｂ）に示すとおり防水機能を有したエア吸引装置６に接続されている。このうち把持部２は、第１の実施形態と同様のグリップとしての機能の他に、連結具としての機能を具備しており、更にはアーム部５Ａの長さ調節機能を具備していてもよい。そして、本実施形態において図５（Ｂ）のエア吸引装置６が駆動されると、ローラ部３の水分（水分を含んだ空気）は、珪藻土リング３Ａの隙間３Ｃ、ローラ保持部４及びシャフト部５Ｂの中空部、アーム部５Ａの中空部、把持部２の中空部、吸気ホース７、及びエア吸引装置６を介してエア吸引装置６の排気口６Ａに向けて吸引される。従って、ローラ部３の放湿性能（速乾性）は高まり、これによってローラ部３の吸水性能も高まる。尚、本実施形態では、ローラ部３の回転中における通気性を確保できるように、シャフト部５Ｂの径は十分に大きく設定され、また、シャフト部５Ｂ及びローラ保持部４の双方に形成された連通孔による総合の開口率（ローラ部３の回転中に通過できる流量）も十分に高く設定されることが望ましい。
【００４８】
また、本実施形態では、第１の実施形態の珪藻土吸水ローラ１を変形したものについて説明したが、他のいずれかの実施形態を同様に変形することも可能である。また、本実施形態の一部の要素を他の実施形態へ適用することも可能である。例えば「アーム部５Ａ及びシャフト部５Ｂを中空状としてシャフト部５Ｂ及びローラ保持部４の胴部に連通孔を複数設ける」という構成を、エア吸引装置６に連結されない珪藻土吸水ローラ１（第１の実施形態から第３の実施形態の何れかの珪藻土吸水ローラ１）へ適用することも可能であるし、エア供給装置（後述）に連結される珪藻土吸水ローラ１（第５の実施形態の珪藻土吸水ローラ１）へ適用することも可能である。このような構成によると通気性が高まるので、エア吸引装置等を備えなかったとしても、当該構成を採用しなかった場合と比較してローラ部３の放湿性能（速乾性）の向上が期待できる。
【００４９】
５．第５の実施形態
以下、第５の実施形態に係る珪藻土吸水ローラの構成について説明する。ここでは、第１の実施形態との相違点を主に説明し、共通する部分についての説明は省略する。
【００５０】
図６（Ａ）は本実施形態に係る珪藻土吸水ローラの正面図、図６（Ｂ）は本実施形態に係る珪藻土吸水ローラの側面図、図６（Ｃ）は本実施形態に係るエア供給装置の概略図である。尚、図６において、図１、図２における要素と同様の機能を有した要素には同一の符号を付している。
【００５１】
本実施形態に係る珪藻土吸水ローラ１は、第１の実施形態に係る珪藻土吸水ローラ１において、ローラ部３を乾燥するためのエアを供給するエア供給手段をさらに備えている。
【００５２】
具体的には、本実施形態に係る珪藻土吸水ローラ１は、図６（Ａ）に示すとおり、ローラ部３の表面の一部を覆うようにして左右の鍔付き中空管４Ｃ，４Ｄの両鍔部の間に架け渡されるようにして設けられたエアノズル１０（エア供給手段）を備えており、エアノズル１０には、ローラ部３の幅方向（珪藻土リング３Ａの配列方向）に沿って噴射口１０Ａが設けられている。この噴射口１０Ａは、図６（Ａ）、（Ｂ）に矢印で示すとおり、ローラ部３の表面に沿って（ローラ部３の回転方向に沿って）エアを噴射することが可能とされている。尚、エアノズル１０は、図６（Ｂ）に示すとおり、ビス１０Ｃで不図示のシャフト部（図１の符号５Ｂ）に固定されており、シャフト部５Ｂに対するエアノズル１０の姿勢も一定に維持される。また、エアノズル１０は、図６（Ａ）に示すとおり、給気チューブ９に連結され、給気チューブ９は、図６（Ｃ）に示すとおり、エア供給装置８に接続されている。これにより、エア供給装置８を駆動すると、エア供給装置８の吸気口８Ａ、給気チューブ９、エアノズル１０、噴射口１０Ａを順に介して、ローラ部３の表面へエアが噴射される。従って、ローラ部３の放湿性能（速乾性）は高まるとともに、ローラ部３の吸水性能も高まる。
【００５３】
尚、本実施形態においては、エアノズル１０を介してローラ部３へ乾燥した温風を噴射することで、ローラ部３の放湿性能を更に高めてもよい。また、本実施形態では、第１の実施形態の珪藻土吸水ローラ１を変形したものについて説明したが、他のいずれかの実施形態を同様に変形することも可能である。
【００５４】
６．その他の変形例
６−１．ローラ部の構造について
第１の実施形態ではローラ部３に隙間３Ｃを設け（図１（Ａ））、第２の実施形態ではローラ部３に隙間３Ｃ及び溝部３Ｂを設け（図３）、第３の実施形態ではローラ部３に溝部３Ｂ及び孔部３Ｄを設けたが（図４）、隙間３Ｃ及び孔部３Ｄを設けたローラ部３や、隙間３Ｃ及び溝部３Ｂ及び孔部３Ｄを設けたローラ部３や、溝部３Ｂのみを設けたローラ部３や、孔部３Ｄのみを設けたローラ部３とすることもできる。但し、隙間３Ｃ及び孔部３Ｄの少なくとも一方を複数設ける場合には、ローラ部３の強度が確保されるよう、一の隙間３Ｃ又は孔部３Ｄから他の隙間３Ｃ又は孔部３Ｄまでの距離は十分に確保すべきである。
【００５５】
６−２．ローラ部表面のパターンについて
また、ローラ部３の表面に現れるパターン（溝部３Ｂ、隙間３Ｃ、孔部３Ｄ、又はこれらの２以上の組み合わせが描くパターン）は、グリッドパターン、ドットパターンなどに限定されることはなく、ストライプパターン、波線パターン、折れ線パターンなどの他のパターンを採用し得る。例えば、タイヤのトレッドパターンのような、リブ型、ラグ型、リブラグ型、ブロック型などのパターンも採用し得る。
【００５６】
６−３．エア供給及び吸引について
また、第４の実施形態の珪藻土吸水ローラ１を第５の実施形態のエア供給装置８へ接続してもよいし、第５の実施形態の珪藻土吸水ローラ１を第４の実施形態のエア吸引装置６に接続してもよい。例えば、第４の実施形態の珪藻土吸水ローラ１に第５の実施形態のエア供給装置８を接続し、珪藻土リング３Ａの内部に乾燥した温風を循環させてもよい。これによって、乾燥効率の更なる向上が期待できる。
【００５７】
６−４．用途について
また、上述したいずれかの実施形態の珪藻土吸水ローラ１は、水洗浄した自動車用座席を乾燥させるために好適であるが、その他の用途、例えば、絨毯、マット、椅子、ソファー、ベッド、衣服類等の速乾性器具としても有効である。また、上述したいずれかの実施形態の珪藻土吸水ローラ１を、市販の電化製品（乾燥装置類）と併用することで、速乾性の相乗効果を狙った補助器具として用いても良い。また、上述したいずれかの実施形態の珪藻土吸水ローラ１を、医療現場における手術中の血液吸水器具（院内感染症防止対策）などとして使用することも可能である。
【００５８】
７．その他
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００５９】
１      珪藻土吸水ローラ
２      把持部
３      ローラ部
３Ａ    珪藻土リング
３Ｃ    隙間
３Ｂ    溝部
３Ｄ    孔部
４      ローラ保持部
４Ａ    ビス
４Ｂ    貫通孔
４Ｃ    鍔付き中空管
４Ｄ    鍔付き中空管
４Ｆ    ネジ孔
５Ａ    アーム部
５Ｂ    シャフト部
６      エア吸引装置
６Ａ    排気口
７      吸気ホース
８      エア供給装置
８Ａ    吸気口
９      吸気チューブ
１０    エアノズル
１０Ａ  噴射口
１０Ｃ  ビス
【図１】
2019154527.tif 000003
【図２】
2019154527.tif 000004
【図３】
2019154527.tif 000005
【図４】
2019154527.tif 000006
【図５】
2019154527.tif 000007
【図６】
2019154527.tif 000008